(57)【特許請求の範囲】
【請求項１】
座部後側に設けられる背もたれ部内にマッサージ機構が組み込まれ前記座部に着座した使用者にマッサージを施すとともに、前記座部の前側に幅方向の回動軸にて傾動可能とされるオットマンが一体に備えられ、モータの駆動により前記オットマンを上側に回動する力を付与するとともに前記オットマンに対しては駆動連結が切り離し可能に係止する構成のリフト機構を備えてなるマッサージ椅子であって、
前記リフト機構は、前記モータの駆動によって回転するウォームと、該ウォームが連結されるウォーム軸と、前記モータに固定され前記ウォーム軸の軸方向に沿ってスライド可能な第１筒状フレームと、前記オットマン側に連結され前記ウォーム軸の軸方向に沿ってスライド可能な第２筒状フレームとを設け、前記ウォームの回転に伴って前記モータ、前記第１筒状フレーム及び第２筒状フレームは前記ウォーム軸に沿ってスライド移動し、このスライド移動に伴って前記オットマンは傾動され、
前記リフト機構には、前記オットマンとの連結部間に引っ張り力を付与し相互の離間を抑制するため、前記第２筒状フレームと前記モータ側との間に付勢力を付与する付勢部材が備えられることを特徴とするマッサージ椅子。
【請求項２】
請求項１に記載のマッサージ椅子において、
前記リフト機構は、直動動作するように構成されるものであり、
前記付勢部材は、引っ張りコイルばねよりなり、その軸線方向が前記リフト機構の直動動作方向に沿うように配置されていることを特徴とするマッサージ椅子。
【発明の詳細な説明】
【技術分野】
【０００１】
本発明は、使用者の足を置くことのできるオットマンを備えたマッサージ椅子に関するものである。
【背景技術】
【０００２】
背もたれ部にマッサージ機構を組み込んだマッサージ椅子は、背中のつぼや経絡にマッサージ機構の施療子を当てて所定の動作をさせ、血行を促進させることで肩や背中の凝りを解消させるものであって、従来より提案されており、このようなマッサージ椅子は一般家庭・公的施設等にも多く普及している。このようなマッサージ椅子には、使用者の足を乗せることができるオットマンが座部の前部に上下方向傾動可能に備えられているものがある。
【０００３】
例えば、特許文献１に開示されたマッサージ椅子は、座部の下面側に設けたリフト機構がモータの駆動によって作動することでオットマンを上下方向に傾動可能にしている。特に、リフト機構が前方に延伸する時にはオットマンが上方向に傾動され、その位置からリフト機構が後方に収縮する時にはオットマンが下方向に傾動されて、最終的に格納される。
【特許文献１】特開２００７−１６７４６０号公報
【発明の開示】
【発明が解決しようとする課題】
【０００４】
ところで、オットマンを上方向に傾動する際には、モータの駆動力を利用して傾動するが、下方向に傾動する際にはオットマンと使用者が着座する座部との間に物が挟まることで起こりうるオットマンやマッサージ椅子の破損を抑制するため、リフト機構はオットマンに対しては駆動連結が切り離し可能に係止している。つまり、モータによってリフト機構が後方に収縮することで、オットマンが自重によって下方に傾動し、格納状態となる。そのため、オットマンを被覆している皮革等の表皮材の突っ張りやオットマンの重心位置によっては格納状態まで完全に復帰できず、座部とオットマンとの間に大きな隙間が生じることがある。
【０００５】
本発明は、上記課題を解決するためになされたものであって、その目的は、オットマンをリフト機構にて上動させるとともに格納時には自重の作用により格納させる構成のマッサージ椅子であって、その格納時のオットマンと座部側との間に生じる隙間の発生を抑制することができるマッサージ椅子を提供することにある。
【課題を解決するための手段】
【０００６】
上記課題を解決するために、請求項１に記載の発明は、座部後側に設けられる背もたれ部内にマッサージ機構が組み込まれ前記座部に着座した使用者にマッサージを施すとともに、前記座部の前側に幅方向の回動軸にて傾動可能とされるオットマンが一体に備えられ、モータの駆動により前記オットマンを上側に回動する力を付与するとともに前記オットマンに対しては駆動連結が切り離し可能に係止する構成のリフト機構を備えてなるマッサージ椅子であって、前記リフト機構は、前記モータの駆動によって回転するウォームと、該ウォームが連結されるウォーム軸と、前記モータに固定され前記ウォーム軸の軸方向に沿ってスライド可能な第１筒状フレームと、前記オットマン側に連結され前記ウォーム軸の軸方向に沿ってスライド可能な第２筒状フレームとを設け、前記ウォームの回転に伴って前記モータ、前記第１筒状フレーム及び第２筒状フレームは前記ウォーム軸に沿ってスライド移動し、このスライド移動に伴って前記オットマンは傾動され、前記リフト機構には、前記オットマンとの連結部間に引っ張り力を付与し相互の離間を抑制するため、前記第２筒状フレームと前記モータ側との間に付勢力を付与する付勢部材が備えられることをその要旨とする。
【０００７】
この発明では、リフト機構には、オットマンとの連結部間に引っ張り力を付与し相互の離間を抑制するための付勢部材を備えたことで、格納時においてオットマンが座部側に引っ張られるため座部とオットマンとの間に生じる隙間の発生を抑制することができる。
【０００８】
請求項２に記載の発明は、請求項１に記載のマッサージ椅子において、前記リフト機構には、直動動作するように構成されるものであり、前記付勢部材は、引っ張りコイルばねよりなり、その軸線方向が前記リフト機構の直動動作方向に沿うように配置されていることをその要旨とする。
【０００９】
この発明では、リフト機構には、直動動作するように構成されるものであり、付勢部材は、引っ張りコイルばねよりなり、その軸線方向がリフト機構の直動動作方向に沿うように配置したことで、直動機構の作動方向とコイルばねの軸線方向が同じとなるため、コイルばねをコンパクトに構成でき、リフト機構１５の小型化に貢献できる。
【発明の効果】
【００１０】
本発明によれば、オットマンをリフト機構にて上動させるとともに格納時には自重の作用により格納させる構成のマッサージ椅子であって、その格納時のオットマンと座部側との間に生じる隙間の発生を抑制することができるマッサージ椅子を提供することができる。
【発明を実施するための最良の形態】
【００１１】
以下、本発明を具体化した一実施形態を図面に従って説明する。
図１に示すように、マッサージ椅子１０の脚部１１は図示しない床面に載置されるとともに、その脚部１１の上部には使用者が着座可能な座部１２が固定されている。その座部１２の後側には、使用者が背中を持たれ掛けさせるための背もたれ部１３が傾動可能に設けられるとともに、座部１２の前側には幅方向の回動軸（支軸２２）にて傾動可能とされ使用者の脚部を乗せることのできるオットマン１４がリフト機構１５にて上下方向に傾動可能に設けられている。また、使用者の腕などを置くための肘掛け１６が背もたれ部１３から座部１２の両側前方にかけて設けられている。
【００１２】
背もたれ部１３は、前面が開口された硬質樹脂材料等からなる本体ケース１７内にマッサージ機構１８が組み込まれている。本体ケース１７には、背もたれ部１３の下部から上部にかけて前面側が開口されている収容空間が設けられ、その空間内には使用者の背中のマッサージを行うマッサージ機構１８がガイドレール１９に沿って上下方向に往復移動可能に組み付けられている。マッサージ機構１８には、モータ２０を含む各種駆動モータが備えられており、これら各種の駆動モータの駆動によってマッサージ機構１８の上下動や該マッサージ機構１８に備えられる一対の施療子１８ａの所定施療動作が行われる。このようなマッサージ機構１８を有する背もたれ部１３（本体ケース１７）、座部１２、オットマン１４は、各部位が一体的に縫製された皮革等からなる表皮材２１によって被覆されている。そして、施療子１８ａが本体ケース１７から前方に突出して背もたれ部１３の表皮材２１の内側面と摺接し、該施療子１８ａが表皮材２１を介して使用者に刺激を与えることで、使用者の肩や腰、背中といった各施療部位に対し、揉みや擦り、叩き等の各種マッサージを施すようになっている。
【００１３】
次に、オットマン１４を上下方向に傾動させるリフト機構１５について図１、図４、図５を用いて説明する。図４はリフト機構１５を脚部１１側から図示した側面図であり、図５は図４のＡ−Ａ間での断面図を示している。
【００１４】
座部１２の下面側に位置する座部フレーム１２ａは、支持フレーム１２ｂにて所定高さに支持されており、その座部フレーム１２ａの先端には、幅方向に延びる支軸２２にてオットマン１４の上部が回動可能に連結されている。即ち、オットマン１４は、その支軸２２を回動軸として上下方向に傾動可能に取り付けられている。座部フレーム１２ａの前後方向中央部には、オットマン１４の傾動姿勢を調整するリフト機構１５の基端が基端連結部２３にて固定されており、その基端（図４、図５において右）にはウォーム軸２４が基端連結部２３に対して回転可能且つ軸方向に移動不能に連結されている。このウォーム軸２４は、駆動ギヤ２５の中心部に設けられる筒状ギヤ部２５ａの内周面と螺合している。駆動ギヤ２５には、その筒状ギヤ部２５ａにフランジ状に設けられる円盤ギヤ部２５ｂを有し、該円盤ギヤ部２５ｂは、モータ２６の駆動により回転するウォーム２７と噛合されている。
【００１５】
モータ２６には、第１筒状フレーム２８が固定されており、第１筒状フレーム２８内にはウォーム軸２４を収容している。第１筒状フレーム２８には、第２筒状フレーム２９が外嵌され、スライド可能、この場合、ウォーム軸２４の軸方向に沿ってスライド可能に嵌挿されている。第２筒状フレーム２９の先端部には第２筒状フレーム２９をオットマン１４と連結する連結ピン３０が連結孔３１に固定されている。第２筒状フレーム２９には掛止部３２が設けられ、更にモータ２６側にも掛止部３３が設けられており、両掛止部３２，３３間には引っ張りコイルばね３４が掛装されている。コイルばね３４は、第１及び第２筒状フレーム２８，２９が離間しないような付勢力を付与するものである。また、第２筒状フレーム２９の掛止部３２とモータ２６側の掛止部３３との間に掛装したことで、このコイルばね３４は、その軸線方向がウォーム軸２４の軸線、即ちリフト機構１５の直動動作に沿うように第２筒状フレーム２９に近接して配置されている。
【００１６】
そして、オットマン１４が格納状態から上方向に傾動する図２から図１に移行する場合、リフト機構１５では、モータ２６が正転して第１筒状フレーム２８がリフト機構１５の延伸方向（即ち、前方）に移動すると、第２筒状フレーム２９もこれに押されて一体に延伸方向に移動し、第２筒状フレーム２９の先端に接続されている連結ピン３０を介し、支軸２２を回動中心としてオットマン１４を上方に傾動させる。
【００１７】
一方、オットマン１４が上方に傾動した状態から格納状態に復帰する図１から図２に移行する場合、リフト機構１５では、モータ２６が逆転して第１筒状フレーム２８がリフト機構１５の収縮方向（即ち、後方）に移動しようとすると、オットマン１４の自重に加えコイルばね３４の付勢力が作用する第２筒状フレーム２９が第１筒状フレーム２８とともに移動し、支軸２２を回動中心としてオットマン１４も下方に傾動する。このとき、コイルばね３４の付勢力によってオットマン１４が確実に格納状態となるまで傾動するため、座部１２側とオットマン１４との間に生じる隙間の発生を抑制できる。
【００１８】
因みに、図３は、オットマン１４が上方に傾動した状態から格納状態に復帰する際、そのオットマン１４が人の手で保持されたり異物を挟持した場合のリフト機構１５の動作を示している。リフト機構１５では、モータ２６が逆転して第１筒状フレーム２８がリフト機構１５の収縮方向（即ち、後方）に移動しようとしても、第２筒状フレーム２９は第１筒状フレーム２８に対してスライド可能なため第１筒状フレーム２８とともには追従しない。このとき、コイルばね３４は第１筒状フレーム２８の移動に伴って伸び、そこには所定の付勢力が働くこととなるが、コイルばね３４の付勢力は、オットマン１４を格納状態に維持するのに必要な分だけの付勢力が付与されるように設定されているため、挟持した異物等に対して大きな荷重を与えるものではない。そのため、オットマン１４や座部１２等、マッサージ椅子１０の破損を抑制できる。
【００１９】
次に、本実施形態の特徴的な作用効果を記載する。
（１）リフト機構１５には、オットマン１４との連結部間である第２筒状フレーム２９の掛止部３２とモータ２６側の掛止部３３との間に掛装し、引っ張り力を付与して相互間の離間を抑制するためのコイルばね３４を備えたことで、格納時においてオットマン１４が座部１２側に引っ張られるため座部１２側とオットマン１４との間に生じる隙間の発生を抑制することができる。これによって、オットマン１４の格納時のマッサージ椅子１０の見栄えが良好となる。
【００２０】
（２）リフト機構１５には、ウォーム軸２４にて構成されるものであり、コイルばね３４の軸線方向がウォーム軸２４の作動方向に沿うように配置したことで、ウォーム軸２４の作動方向とコイルばね３４の軸線方向が同じとなるため、コイルばね３４付近をコンパクトに構成でき、リフト機構１５の小型化に貢献できる。
【００２１】
尚、本発明の実施形態は、以下のように変更してもよい。
・上記実施形態では、オットマン１４の機能として足を乗せることができる構成としているが、こうした構成に限らず、例えば使用者の足をマッサージするマッサージ装置を有するオットマンでもよい。
【００２２】
・上記実施形態では、付勢部材としてコイルばね３４を利用しているが、こうした構成に限らず、例えば板ばねなどでもよい。
【図面の簡単な説明】
【００２３】
【図１】本実施形態におけるマッサージ椅子の断面図である。
【図２】同上のマッサージ椅子の一部を示す断面図である。
【図３】同上のマッサージ椅子の一部を示す断面図である。
【図４】同上のリフト機構の外観図である。
【図５】同上のリフト機構の断面図である。
【符号の説明】
【００２４】
１０…マッサージ椅子、１２…座部、１３…背もたれ部、１４…オットマン、１５…リフト機構、１８…マッサージ機構、２４…ウォーム軸、２６…モータ、３４…コイルばね（付勢部材）。
【図１】
0004872866.tif 000002
【図２】
0004872866.tif 000003
【図３】
0004872866.tif 000004
【図４】
0004872866.tif 000005
【図５】
0004872866.tif 000006